(57)【要約】      （修正有）【課題】壁面型緊急照明充電モジュールを提供する。【解決手段】壁面型緊急照明充電モジュール１０は、壁面内に予め設置するベースに対応して組み立てるパネルユニット１１を設置し、パネルユニット１１により、少なくとも１個の取り外し式の照明装置１２を組み立て、照明装置１２内部には、充電式の電源供給ユニットを予め設置し、外部の片側には、発光ユニット１２０を設置する。さらに、照明装置１２外側に設置するスイッチ部品１２１により、光源のオンとオフを制御し、照明装置１２は、パネルユニット１１とプレ設置ベース内部の電源接続線により電気的に連接する。こうして照明装置１２内部の電源供給ユニットは、充電を行うことができ、しかも照明装置１２は外側に、電源供給ユニットと電気的に連接する挿入接続部品を設置し、外付けの電子装置と充電を行うことができ、電源切断状態では、自動的に点灯して緊急照明灯となり、取り外して懐中電灯として使用できる。【選択図】図１
0003164994.tif 000002
【実用新案登録請求の範囲】
【請求項１】
壁面内に予め設置するベースに対応して組み立てるパネルユニットを設置し、前記パネルユニットの外側面には、少なくとも１個の取り外し式の照明装置を組み立て、
前記照明装置内部には、充電式の電源供給ユニットを予め設置し、外部の片側には、１個以上の発光ユニットを設置し、
別に、前記照明装置外側に設置する少なくとも１個のスイッチ部品により、光源照明のオンとオフを制御し、
前記照明装置は、前記パネルユニットと前記プレ設置ベース内部の電源接続線により電気的に連接し、こうして前記照明装置内部の電源供給ユニットは、充電を行うことができ、しかも、前記照明装置は外側に、前記電源供給ユニットと電気的に連接する挿入接続部品を設置し、
前記挿入接続部品は、電子装置に対応して連接し、前記電源供給ユニットにより連接する電子装置に電力を供給することを特徴とする壁面型緊急照明充電モジュール。
【請求項２】
前記パネルユニット前側には、パネルを設置し、前記パネル中央には、前記照明装置を収容設置する係合槽を設置し、
前記パネルユニットは、前記パネル後側に、前記プレ設置ベース内部の電源接続線と電気的に連接する回路基板を連接し、
前記係合槽内部には、前記回路基板と電気的に連接する接点を設置し、
別に前記係合槽片側には、前記照明装置を固定する定位部品を設置することを特徴とする請求項１に記載の壁面型緊急照明充電モジュール。
【請求項３】
前記パネルには、前記プレ設置ベースに対応して組み立てる底パネルを設置し、
前記底パネル中央は突出して延伸し、外周壁を形成し、
前記外周壁両側には、ネジ部品により組み立てるためのネジ孔をそれぞれ設置し、
前記底パネル上方には、対応する頂パネルを設置して蓋をし、
前記頂パネルは中央に、前記外周壁の開口に対応し、これにより前記頂パネルと前記底パネルを組み合わせると、前記パネルの係合槽を共同で形成することを特徴とする請求項２に記載の壁面型緊急照明充電モジュール。
【請求項４】
前記頂パネルは、嵌合板、外蓋板、装飾板を備え、
前記嵌合板は、前記外周壁と前記ネジ孔を覆う嵌合孔を設置し、
前記外蓋板には、前記嵌合孔に対応する開孔を設置し、
前記装飾板は、前記外蓋板の開孔に対応して組み立て、中央には、前記外周壁に対応する係合槽開口を形成することを特徴とする請求項３に記載の壁面型緊急照明充電モジュール。
【請求項５】
前記照明装置は、発光ユニット外側を覆う透明隔絶板を設置し、
前記パネル接点の対応位置には、相対する接点を設置し、
前記照明装置は、前記パネル定位部品の相対位置に、別に係合部品を設置することを特徴とする請求項２に記載の壁面型緊急照明充電モジュール。
【請求項６】
前記照明装置と前記パネル係合槽との間にはさらに、相互に吸引する磁性構造を設置することを特徴とする請求項５に記載の壁面型緊急照明充電モジュール。
【請求項７】
前記挿入接続部品はUSB(Universal Serial Bus)ソケットであることを特徴とする請求項１に記載の壁面型緊急照明充電モジュール。
【請求項８】
前記発光ユニットは、充電状態にある時点灯するインジケーター、及び前記スイッチ部品の連動を受け、起動状態を制御され点灯する少なくとも１個の照明灯を備えることを特徴とする請求項１に記載の壁面型緊急照明充電モジュール。
【請求項９】
前記発光ユニットは、発光ダイオードであることを特徴とする請求項８に記載の壁面型緊急照明充電モジュール。
【請求項１０】
前記パネルユニットはさらに、前記照明装置の傍らに、１個以上のコンセントを設置し、前記コンセントは、前記プレ設置ベースの電源接続線に電気的に連接し、これにより電子装置に対応して連接し、前記電源供給ユニットにより、連接する電子装置に電力を供給することを特徴とする請求項１に記載の壁面型緊急照明充電モジュール。
【請求項１１】
前記直流電力コンセントは、USB(Universal Serial Bus)コンセントであることを特徴とする請求項１０に記載の壁面型緊急照明充電モジュール。
【請求項１２】
前記コンセント外側にはさらに、可動式の外蓋を設置することを特徴とする請求項１０に記載の壁面型緊急照明充電モジュール。
【考案の詳細な説明】
【技術分野】
【０００１】
本考案は壁面上に予め設置する電源ベースに設置する照明充電モジュールに関し、特に壁面型パネルユニットに設置する取り外し式照明装置の緊急照明充電モジュールに関する。    
【背景技術】
【０００２】
テクノロジーの進歩と発展に従い、将来、社会は多様化し、その構造形態は日進月歩で変化し、人々が求める生活の質もそれに伴い高まっていく様子を、我々はあらゆるところで目にすることになるだろう。それにより、物に対する要求も「使えれば良い」という旧来の考え方から、「洗練されて多様」に変わっていき、絶え間ない進歩、或いはイノベーションだけが、現代社会のニーズを満たせるようになる。
【０００３】
従来の壁面上電源コンセントの外縁にはみな、コンセントパネルが設置されている。一般的なコンセントパネルは、ハウジングと少なくとも１個の交流電力コンセントにより構成され、主にパネル内の配線を保護し、コンセントに対応して連接させ、これにより、家電などのコンセントを挿入して使用することができ、この他、電源コンセントの外観に美しさを加えることができる。しかし、従来のコンセントパネルは、この二つの機能を備えるだけで、他の付加機能を提供することはできず、これでは、魅力の面でも、機能の面でも十分とはいえない。
【０００４】
従来の別のタイプの壁面に設置する電源コンセントはスイッチパネルである。一般にスイッチパネルは、ハウジング及び少なくとも１個のスイッチ構造により組成する。その主要な目的は、内部の回路構造を連通し、それと接続する照明具に通電させ発光させることで、電源コンセント外観に美しさを加える機能をも備える。この種のスイッチパネルが直面する問題は、コンセントパネルと同様で、他の付加機能を提供することができず、その機能性に限界があるということである。本考案は、従来の壁面上に設置するパネルの上記した欠点に鑑みてなされたものである。
【考案の概要】
【考案が解決しようとする課題】
【０００５】
本考案が解決しようとする第一の課題は、パネルユニット上には少なくとも１個の取り外し式照明装置を設置し、照明装置内部には充電式の電源供給ユニットを設置し、これにより突然電源が切断されるという特殊状況では、壁面型緊急照明充電モジュールは自動的に点灯して緊急照明灯となり、照明装置を取り外して懐中電灯として使用することができる壁面型緊急照明充電モジュールを提供することである。
本考案が解決しようとする第二の課題は、照明装置上に内部の電源供給ユニットに電気的に連接する挿入接続構造を設置し、使用者が外付け式の電子装置に充電を行おうとする際には、照明装置をパネルユニットから取り外し、挿入接続構造と電子装置を連接して充電を行うことができ、こうして照明装置の使用機能を拡大することができる壁面型緊急照明充電モジュールを提供することである。
本考案が解決しようとする第三の課題は、パネルユニット上には別に、直流(DC)及び／或いは交流(AC)電源を提供するコンセント構造を設計し、これにより使用者は単一の電源の設置を随意選択し、或いは同時に２種の電源の組み合わせを選択して使用することができ、パネルユニット全体の実用性と機能性を大幅に向上させることができる壁面型緊急照明充電モジュールを提供することである。
本考案が解決しようとする第四の課題は、照明装置は、電源切断状態では緊急照明灯とできる他、正常な通常状態では、壁面において装飾灯として使用することができる壁面型緊急照明充電モジュールを提供することである。
【課題を解決するための手段】
【０００６】
上記課題を解決するため、本考案は下記の壁面型緊急照明充電モジュールを提供する。  壁面型緊急照明充電モジュールは、壁面内に予め設置するベースに対応して組み立てるパネルユニット、該パネルユニットの外側面に組み立てる少なくとも１個の取り外し式の照明装置により構成し、該照明装置内部には、充電式の電源供給ユニットを予め設置し、外部の片側には、１個以上の発光ユニットを設置し、
別に、該照明装置外側に設置する少なくとも１個のスイッチ部品により、光源照明のオンとオフを制御し、これにより壁面型緊急照明充電モジュールは、一般の装飾証明灯として使用でき、
該照明装置は、該パネルユニットと該プレ設置ベース内部の電源接続線により電気的に連接し、こうして該照明装置内部の電源供給ユニットは、充電を行うことができ、突然電源が切断される特殊状況においては、該照明装置を取り外し懐中電灯とすることができ、
しかも、該照明装置は外側に、該電源供給ユニットと電気的に連接する挿入接続部品を設置し、該挿入接続部品は、他の充電可能な電子装置に対応して連接し、該照明装置内部の電源供給ユニットにより連接する電子装置に電力を供給して充電し、照明装置自体の使用機能を拡大でき、該挿入接続部品はUSB(Universal Serial Bus)ソケットで、
該パネルユニット前側には、パネルを設置し、該パネル中央には、該照明装置を収容設置する係合槽を設置し、
該パネルユニットは、該パネル後側に、該プレ設置ベース内部の電源接続線と電気的に連接する回路基板を連接し、
該係合槽内部には、該回路基板と電気的に連接する接点を設置し、
別に該係合槽片側には、該照明装置を固定する定位部品を設置し、
該パネルには、該プレ設置ベースに対応して組み立てる底パネルを設置し、該底パネル中央は突出して延伸し、外周壁を形成し、
該外周壁両側には、ネジ部品により組み立てるためのネジ孔をそれぞれ設置し、
該底パネル上方には、対応する頂パネルを設置して蓋をし、該頂パネルは中央に、該外周壁の開口に対応し、これにより該頂パネルと該底パネルを組み合わせると、該パネルの係合槽を共同で形成し、
該頂パネルは、嵌合板、外蓋板、装飾板を備え、
該嵌合板は、該外周壁と該ネジ孔を覆う嵌合孔を設置し、該外蓋板には、該嵌合孔に対応する開孔を設置し、該装飾板は、該外蓋板の開孔に対応して組み立て、中央には、該外周壁に対応する係合槽開口を形成し、
該照明装置は、発光ユニット外側を覆う透明隔絶板を設置し、
該パネル接点の対応位置には、相対する接点を設置し、
該照明装置は、該パネル定位部品の相対位置に、別に係合部品を設置し、
該照明装置と該パネル係合槽との間にはさらに、相互に吸引する磁石構造を設置し、
該発光ユニットは、充電状態にある時点灯するインジケーター、及び該スイッチ部品の連動を受け、起動状態を制御され点灯する少なくとも１個の照明灯を備え、該発光ユニットは、発光ダイオード(LED、Light Emitting Diode)で、
該パネルユニットはさらに、該照明装置の傍らに、１個以上のコンセントを設置し、
該コンセントは、該プレ設置ベースの電源接続線に電気的に連接し、交流電力コンセントを形成し、これにより他の家電製品を接続して使用することができ、
該コンセントは、該回路基板に電気的に連接し、直流電力コンセントを形成し、これにより充電式の電子装置を連接し、該電源供給ユニットにより連接する電子装置に電力を供給し電子装置は充電を行うことができ、
該直流電力コンセントは、USB(Universal Serial Bus)コンセントで、
本考案は、使用者のニーズに応じて、２種の直流、交流電力コンセントを該パネルユニット上に共に設置することができ、しかもコンセント外側面には共に可動式外蓋を設置し、ほこりの壁面型緊急照明充電モジュール内部への進入を防止することができる。  
【考案の効果】
【０００７】
本考案の壁面型緊急照明充電モジュールは、パネルユニット上に、取り外し式の照明装置を設計し、これにより壁面型緊急照明充電モジュールは、突然の電源切断状況においても、自動的に点灯して緊急照明灯となり、また照明装置を取り外して懐中電灯として使用することもできる。また、照明装置上には、挿入接続構造を設計し、外付け式の電子装置に充電が可能で、パネルユニット上には別に、直流(DC)及び／或いは交流(AC)電源を提供するコンセント構造を設計し、これにより使用者は単一の電源の設置を随意選択し、或いは同時に２種の電源の組み合わせを選択して使用することができ、パネルユニット全体の実用性と機能性を大幅に向上させることができる。
【図面の簡単な説明】
【０００８】
【図１】本考案壁面型緊急照明充電モジュール第一実施例の立体図である。
【図２】本考案壁面型緊急照明充電モジュールを壁面に設置する様子を示す断面表示図である。
【図３】図１に示すパネルユニットと照明装置とを分離する様子を示す表示図である。
【図４】本考案パネルユニット細部の分解図である。
【図５】図１に示すパネルユニットと照明装置の別の視角からの分解図である。
【図６】本考案壁面型緊急照明充電モジュール照明装置を、別の電子装置に連接する様子を示す表示図である。
【図７】本考案壁面型緊急照明充電モジュールの充電状態を示す表示図である。
【図８】本考案壁面型緊急照明充電モジュールの発光照射の表示図である。
【図９】本考案照明装置を、パネルユニットから分離する使用状態の表示図である。
【図１０】本考案壁面型緊急照明充電モジュール第二実施例の立体図である。
【図１１】本考案壁面型緊急照明充電モジュール第三実施例の立体図である。
【考案を実施するための形態】
【０００９】
以下に図面を参照しながら本考案を実施するための最良の形態について詳細に説明する。
【実施例】
【００１０】
本考案壁面型緊急照明充電モジュール１０は、壁面上に予め開設する孔中に設置するプレ設置ベース２０に組み立てて固定する。さらに、配線により、プレ設置ベース２０内部の電源接続線と壁面型緊急照明充電モジュール１０を、相互に電気的に連接する。こうして、本考案壁面型緊急照明充電モジュール１０が必要とする電力を提供する。図示の実施例のプレ設置ベース２０は、現在一般的に見られる壁面孔中に係合されるスチールボックスであるが、ここでは説明の便のため例とするだけで、これに限定するものではない。
【００１１】
本考案壁面型緊急照明充電モジュール１０は主に、壁面内のプレ設置ベース２０に対応して組み合わせるパネルユニット１１と、パネルユニット１１外側面に接続して定位する少なくとも１組の取り外し式照明装置１２により構成するパネルユニット１１の作用は、プレ設置ベース２０内部電源の接続線を遮蔽することで、しかも電源接続線の交流電源を直流電源に転換し照明装置１２に提供する。
【００１２】
図３に示すように、本考案のパネルユニット１１は、前側面にパネル１１０を設置する。パネル１１０中央には、照明装置１２を収容設置する係合槽１１１を設置する。パネルユニット１１は、パネル１１０後側に、プレ設置ベース２０内部電源線と電気的に連接する回路基板１１２を連接する。係合槽１１１内部には、回路基板１１２と電気的に連接する接点１１３を設置する。係合槽１１１片側には、照明装置１２と固定する定位部品１１４を設置する。
【００１３】
パネルユニット１１は、プレ設置ベース２０に対応して組み立てる底パネル１１５を設置する。底パネル１１５中央外は突出し、外周壁１１５aを延伸して形成する。外周壁１１５a両側には、ネジにより組み立てるためのネジ孔１１５bをそれぞれ設置する。底パネル１１５上方には、対応する頂パネル１１６を設置して蓋する。頂パネル１１６中央には、外周壁１１５aに対応する開口１１６aを設置する。これにより、頂パネル１１６と底パネル１１５とは、組み立てられ、パネル１１０の係合槽１１１を共同で形成する。
【００１４】
図４に示すように、実施例中において、頂パネル１１６は、嵌合板１１７、外蓋１１８、装飾板１１９を備える。嵌合板１１７には、外周壁１１５aとネジ孔１１５bを包む嵌合孔１１７aを設置する。外蓋板１１８には、嵌合孔１１７aに対応する開孔１１８aを設置する。装飾板１１９は、外蓋板１１８の開孔１１８aに対応して組み立てられ、中央位置には、外周壁１１５aの係合槽１１１に対応する開口１１６aを形成する。
【００１５】
図３、５に示すように、本考案照明装置１２の作用は、壁面型緊急照明充電モジュール１０の電源が突然切れた状況において、自動的に発光し緊急照明灯となることである。また、照明装置１２は取り外して懐中電灯として使用することもできる。この他、正常な通電状態では、一般の装飾灯として使用することができる。
【００１６】
本考案照明装置１２の内部には、充電式の電源供給ユニット(図示なし)を予め設置し、外部の片側には、１個以上の発光ユニット１２０を設置する。また、照明装置１２外側に設置するスイッチ部品１２１により、光源照明の開閉を制御する。照明装置１２は、パネルユニット１１とプレ設置ベース２０内部の電源接続線により電気的に連接し、これにより照明装置１２内部の電源供給ユニットは充電を行うことができる。
【００１７】
実施例中では、電源供給ユニットは、リチウム電池で、平時に電力量が未飽和である時には、自動的に充電を行い、電力量が飽和すると自動的に充電を停止する。照明装置１２は、発光ユニット１２０外側を透明隔絶板１２２により覆って設置する。これにより、発光ユニット１２０は、透明隔絶板１２２内に密閉され、パネル１１０接点１１３の対応位置には、対応する接点１２３を設置し、これにより照明装置１２と電源接続線とは電気的に連接する。この他、照明装置１２は、パネル１１０定位部品１１４の相対位置に、係合部品１２４を別に設置する。これにより、照明装置１２は、定位部品１１４に対応して、係合槽１１１内部に係合して固定される。
【００１８】
実施例中では、本考案照明装置１２とパネル１１０内部の係合槽１１１との間には、さらに磁石ユニット(図示なし)を設置し、相互に吸引、固定して両者間の係合固定の力を拡大することができる。この他、本考案照明装置１２と係合槽１１１との間では、定位部品１１４と係合部品１２４を使用せず、単純な磁性ユニットを採用して相互に吸引、固定させることもできる。
【００１９】
図６に示すように、本考案照明装置１２はさらに外側に、電源供給ユニットと電気的に連接する挿入接続部品１２５を設置することができる。挿入接続部品１２５は、他の充電可能な電子装置３０に対応して連接後、照明装置１２内部の電源供給ユニットにより、連接する電子装置３０に電力を供給し、充電を行う。こうして、照明装置１２字自体の使用機能を拡大することができる。図示の実施例中では、挿入接続部品１２５は、USB(Universal Serial Bus)ソケットであるが、説明の便のために例として用いるだけで、挿入接続部品１２５の構造に制限を加えるものではない。
【００２０】
図７、８に示すように、本考案発光ユニット１２０は、充電状態で点灯するインジケーター１２０a、スイッチ部品１２１に連動され、起動状態を制御され点灯する照明灯１２０bを備える。本考案の照明装置１２に電源が通じると、中央のインジケーター１２０aが点灯し充電中を表示する。この時、スイッチ部品１２１は、点灯を制御することはできない。電源が切断される(停電)と、インジケーター１２０aは消灯し、照明灯１２０bが点灯する(約0.5秒)。
【００２１】
図９に示すように、この時、照明装置１２を、係合槽１１１中から取り出すと、照明灯１２０bは、点灯を継続する。照明灯１２０bを消灯したければ、スイッチ部品１２１を押すだけで、照明灯１２０bを消すことができる。すなわち、照明装置１２を取り外して懐中電灯として使用する時には、点灯させるかどうかは、照明装置１２上のスイッチ部品１２１により制御する。
【００２２】
発光ユニット１２０は主に、発光ダイオード(LED、Light Emitting Diode)を応用する。実施例中では、インジケーター１２０aは、赤色光発光ダイオード(LED)で、照明灯１２０bは、白色光発光ダイオード(LED)である。しかし、これらは、実施例を説明する便のために例として用いるだけで、制限を加えるものではなく、発光ユニット１２０は、ランプ、或いは他の形式の灯管とすることができる。
【００２３】
発光ユニット１２０の照明灯１２０bは、使用者が求める装飾効果に応じて、さまざまな照射方式の投射灯、散射灯、点滅灯、或いは走馬灯など特殊形式の照明具とすることができる。また、多種の機能が混在した多機能照明具を組み合わせることもできる。
【００２４】
図示の実施例において、スイッチ部品１２１は単一のボタンで、発光ユニット１２０のオンとオフを制御する。また別の実施例では、スイッチ部品１２１は、数度押す方式により、異なる照射方式に切り替えることができる。この際には、スイッチ部品１２１は、単純に開閉の機能を備えるだけでなく、切り替えなどの他の機能を増やすことができる。しかし、上記した２実施例は説明の便のために例として用いるだけで、スイッチ部品１２１は、複数のボタン(図示なし)として、さまざまな発光ユニットの照射を制御し、或いはさまざまな照射方式に切り替えることもできる。
【００２５】
別の実施例では、本考案壁面型緊急照明充電モジュール１０は、壁面上において、スイッチ部品１２１を押すことで、発光ユニット１２０を起草して、周囲環境の装飾照明とすることができる。しかも、その照明方式は、内部の回路設計の違いにより、点滅、投射、散射、或いは走馬灯などの装飾効果を表現することができる。
【００２６】
図１０に示す第二実施例では、本考案パネルユニット１１はさらに、照明装置１２傍らに１個以上のコンセントを設置する。コンセントは、回路基板１１２に電気的に連接し、直流電力コンセント１３を形成し、充電式の電子装置３０を連接することができる。さらに、電源供給ユニットにより、連接する電子装置３０に充電のための電力を供給することができる。直流電力コンセント１３は、USB(Universal Serial Bus)コンセントとすることができる。図１１に示す第三実施例では、上記の他に、コンセントはプレ設置ベース２０の電源接続線に直接電気的に連接し、交流電力コンセント１４とし、家電用品を接続して使用することができる。
【００２７】
本考案は、使用者のニーズに応じて、２種の直流、交流電力コンセント１３、１４をパネルユニット１１上に共に設置することができ、しかもコンセント外側面には共に可動式外蓋１５を設置し、ほこりの壁面型緊急照明充電モジュール１０内部への進入を防止することができる。
【００２８】
本考案壁面型緊急照明充電モジュール１０は、パネルユニット１１上に、少なくとも１個の取り外し式の照明装置１２を設計し、照明装置１２内部には、繰り返し充電可能な電源供給ユニットを設置し、これにより壁面型緊急照明充電モジュール１０は、突然の電源切断状況においても、自動的に点灯して緊急照明灯となり、また照明装置１２を取り外して懐中電灯として使用することもできる。
【００２９】
この他、照明装置１２上には、内部の電源供給ユニットに電気的に連接する挿入接続構造を設計することができ、使用者が外付け式の電子装置に充電を行おうとする時には、照明装置１２をパネルユニット１１から取り外し、挿入接続構造と電子装置を連接後に充電を行い、こうして照明装置１２の使用機能を拡大することができる。さらに、パネルユニット１１上には別に、直流(DC)及び／或いは交流(AC)電源を提供するコンセント構造を設計し、これにより使用者は単一の電源の設置を随意選択し、或いは同時に２種の電源の組み合わせを選択して使用することができ、パネルユニット１１全体の実用性と機能性を大幅に向上させることができる。
【００３０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３１】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３２】
１０  壁面型緊急照明充電モジュール
１１  パネルユニット
１１０  パネル
１１１  係合槽
１１２  回路基板
１１３  接点
１１４  定位部品
１１５  底パネル
１１５a  外周壁
１１５b  ネジ孔
１１６  頂パネル
１１６a  開口
１１７  嵌合板
１１７a  嵌合孔
１１８  外蓋板
１１８a  開孔
１１９  装飾板
１２  照明装置
１２０  発光ユニット
１２０a  インジケーター
１２０b  照明灯
１２１  スイッチ部品
１２２  透明隔絶板
１２３  相対接点
１２４  係合部品
１２５  挿入接続部品
１３  直流電力コンセント
１４  交流電力コンセント
１５  外蓋
２０  プレ設置ベース
３０  電子装置
【図１】
0003164994.tif 000003
【図２】
0003164994.tif 000004
【図３】
0003164994.tif 000005
【図４】
0003164994.tif 000006
【図５】
0003164994.tif 000007
【図６】
0003164994.tif 000008
【図７】
0003164994.tif 000009
【図８】
0003164994.tif 000010
【図９】
0003164994.tif 000011
【図１０】
0003164994.tif 000012
【図１１】
0003164994.tif 000013